(57)【要約】【課題】素体から剥離し難い外部電極を備えた積層コイル部品を提供すること。【解決手段】積層コイル部品Ｃ１は、複数の絶縁体層１１が積層されてなる素体１と、素体１内に配置された複数の内部導体２１〜２４が互いに接続されることにより構成されるコイル２０と、素体１の第一主面１ａに配置された第一外部電極２及び第二外部電極４と、素体１内に配置され、一端がコイル２０の一端に接続されると共に他端が第一外部電極２に接続される第一スルーホール導体３０と、素体１内に配置され、一端がコイル２０の他端に接続されると共に他端が第二外部電極４に接続される第二スルーホール導体３１と、素体１内に配置され、一端が第一外部電極２に接続される２つの第三スルーホール導体３２，３３と、素体１内に配置され、一端が第二外部電極４に接続される２つの第四スルーホール導体３４，３５と、を備える。【選択図】図２
2014138168.tif 000002
【特許請求の範囲】
【請求項１】
複数の絶縁体層が積層されてなり、互いに対向する略長方形状の第一及び第二主面と、第一及び第二主面の間を連結するように第一及び第二主面の短辺方向に伸び且つ互いに対向する第一及び第二側面と、第一及び第二主面の間を連結するように第一及び第二主面の長辺方向に伸び且つ対向する第三及び第四側面と、を有する素体と、
前記素体内に配置された複数の内部導体が互いに接続されることにより構成されるコイルと、
前記第一主面に配置された第一外部電極及び第二外部電極と、
前記素体内に配置され、一端が前記コイルの一端に接続されると共に他端が前記第一外部電極に接続される第一スルーホール導体と、
前記素体内に配置され、一端が前記コイルの他端に接続されると共に他端が前記第二外部電極に接続される第二スルーホール導体と、
前記素体内に配置され、一端が前記第一外部電極に接続される少なくとも一つの第三スルーホール導体と、
前記素体内に配置され、一端が前記第二外部電極に接続される少なくとも一つの第四スルーホール導体と、
を備える積層コイル部品。
【請求項２】
複数の前記第三スルーホール導体と、複数の前記第四スルーホール導体と、を備える請求項１に記載の積層コイル部品。
【請求項３】
前記第一主面の前記長辺方向に向かう第一軸と前記第一主面の前記短辺方向に向かう第二軸とからなる二次元直交座標系において、前記第一スルーホール導体の中心軸を原点としたときに、前記複数の第三スルーホール導体のうち少なくとも一つの中心軸が前記第一軸及び前記第二軸から離れて位置し、
前記二次元直交座標系において、前記第二スルーホール導体の中心軸を原点としたときに、前記複数の第四スルーホール導体のうち少なくとも一つの中心軸が前記第一軸及び前記第二軸から離れて位置していることを特徴とする請求項２に記載の積層コイル部品。
【発明の詳細な説明】
【技術分野】
【０００１】
本発明は、積層コイル部品に関する。
【背景技術】
【０００２】
積層コイル部品として、複数の絶縁体層が積層されてなる素体と、素体内に配置された複数の内部導体が互いに接続されることにより構成されるコイルと、素体の外表面のうち一つの面に配置された一対の外部電極と、を備えた積層コイル部品が知られている（たとえば、特許文献１参照）。特許文献１に記載された積層コイル部品では、コイルの両端は、スルーホール導体を介して対応する外部電極に接続されている。
【先行技術文献】
【特許文献】
【０００３】
【特許文献１】特開２０１１−９３９１号公報
【発明の概要】
【発明が解決しようとする課題】
【０００４】
しかしながら、特許文献１に記載された積層コイル部品では、以下のような問題点が生じる懼れがある。上記積層コイル部品では、一対の外部電極が素体の外表面のうち一つの面に配置されている。このため、素体と外部電極との接続強度が低くならざるを得ず、外部電極が素体から剥離する懼れがある。特許文献１に記載された積層コイル部品は、外部電極が配置された面を実装面として、電子機器（たとえば、回路基板や電子部品など）に実装される。このとき、素体（積層コイル部品）に外力が作用する。特に、素体と外部電極との界面に平行な方向、すなわち外部電極が配置された面に平行な方向から外力が作用した場合、素体と外部電極との界面で剥離が生じやすい。
【０００５】
本発明は、素体から剥離し難い外部電極を備えた積層コイル部品を提供することを目的とする。
【課題を解決するための手段】
【０００６】
本発明に係る積層コイル部品は、複数の絶縁体層が積層されてなり、互いに対向する略長方形状の第一及び第二主面と、第一及び第二主面の間を連結するように第一及び第二主面の短辺方向に伸び且つ互いに対向する第一及び第二側面と、第一及び第二主面の間を連結するように第一及び第二主面の長辺方向に伸び且つ対向する第三及び第四側面と、を有する素体と、素体内に配置された複数の内部導体が互いに接続されることにより構成されるコイルと、第一主面に配置された第一外部電極及び第二外部電極と、素体内に配置され、一端がコイルの一端に接続されると共に他端が第一外部電極に接続される第一スルーホール導体と、素体内に配置され、一端がコイルの他端に接続されると共に他端が第二外部電極に接続される第二スルーホール導体と、素体内に配置され、一端が第一外部電極に接続される少なくとも一つの第三スルーホール導体と、素体内に配置され、一端が第二外部電極に接続される少なくとも一つの第四スルーホール導体と、を備える。
【０００７】
本発明に係る積層コイル部品では、第一スルーホール導体だけでなく、第三スルーホール導体が第一外部電極に接続されている。第三スルーホール導体は、第一スルーホール導体と共に、アンカーとして機能するため、素体と第一外部電極との接続強度が高まる。第二外部電極には、第二スルーホール導体だけでなく、第四スルーホール導体が接続されている。第四スルーホール導体は、第二スルーホール導体と共に、アンカーとして機能するため、素体と第二外部電極との接続強度が高まる。これらの結果、素体と第一及び第二外部電極との界面に平行な方向から外力が作用した場合でも、第一及び第二外部電極は、素体から剥離し難い。
【０００８】
複数の前記第三スルーホール導体と、複数の前記第四スルーホール導体と、を備えてもよい。この場合、複数の第三スルーホール導体がアンカーとして機能するため、素体と第一外部電極との接続強度がより一層高まると共に、複数の第四スルーホール導体がアンカーとして機能するため、素体と第二外部電極との接続強度がより一層高まる。したがって、第一及び第二外部電極は、素体からより一層剥離し難い。
【０００９】
第一主面の長辺方向に向かう第一軸と第一主面の短辺方向に向かう第二軸とからなる二次元直交座標系において、第一スルーホール導体の中心軸を原点としたときに、複数の第三スルーホール導体のうち少なくとも一つの中心軸が第一軸及び第二軸から離れて位置し、二次元直交座標系において、第二スルーホール導体の中心軸を原点としたときに、複数の第四スルーホール導体のうち少なくとも一つの中心軸が第一軸及び第二軸から離れて位置していてもよい。この場合、第一スルーホール導体及び複数の第三スルーホール導体は、積層方向から見て、第一外部電極に対し、広範囲に分散して配置される。したがって、素体と第一外部電極との接続強度が更に高まる。第二スルーホール導体及び複数の第四スルーホール導体は、積層方向から見て、第二外部電極に対し、広範囲に分散して配置される。したがって、素体と第二外部電極との接続強度が更に高まる。これらの結果、第一及び第二外部電極は、素体から更に剥離し難い。
【発明の効果】
【００１０】
本発明によれば、素体から剥離し難い外部電極を備えた積層コイル部品を提供することができる。
【図面の簡単な説明】
【００１１】
【図１】第１実施形態に係る積層コイル部品を示す斜視図である。
【図２】第１実施形態に係る積層コイル部品が備える素体の構成を示す分解斜視図である。
【図３】第１実施形態に係る積層コイル部品の断面構成を説明するための図である。
【図４】第１実施形態に係る積層コイルの平面図である。
【図５】第２実施形態に係る積層コイル部品が備える素体の構成を示す分解斜視図である。
【図６】第２実施形態に係る積層コイル部品の断面構成を説明するための図である。
【発明を実施するための形態】
【００１２】
以下、添付図面を参照して、本発明の好適な実施形態について詳細に説明する。なお、説明において、同一要素又は同一機能を有する要素には、同一符号を用いることとし、重複する説明は省略する。
【００１３】
［第１実施形態］
まず、図１〜図４を参照して、第１実施形態に係る積層コイル部品Ｃ１の構成を説明する。図１は、第１実施形態に係る積層コイル部品を示す斜視図である。図２は、第１実施形態に係る積層コイル部品が備える素体の構成を示す分解斜視図である。図３は、第１実施形態に係る積層コイル部品の断面構成を説明するための図である。図４は、第１実施形態に係る積層コイルの平面図である。
【００１４】
積層コイル部品Ｃ１は、図１に示されるように、略直方体形状を呈する素体１と、素体１の外表面に配置される第一外部電極２及び第二外部電極４と、を備えている。
【００１５】
素体１は、その外表面として、互いに対向する略長方形状の第一及び第二主面１ａ，１ｂと、互いに対向する第一及び第二側面１ｃ，１ｄと、互いに対向する第三及び第四側面１ｅ，１ｆと、を有している。第一及び第二側面１ｃ，１ｄは、第一及び第二主面１ａ，１ｂの間を連結するように第一及び第二主面１ａ，１ｂの短辺方向に伸びている。第三及び第四側面１ｅ，１ｆは、第一及び第二主面１ａ，１ｂの間を連結するように第一及び第二主面１ａ，１ｂの長辺方向に伸びている。
【００１６】
素体１は、図２に示されるように、複数の絶縁体層１１が積層されることによって形成されている。各絶縁体層１１は、略長方形状を有している。各絶縁体層１１は、電気絶縁性を有する絶縁体であり、絶縁体グリーンシートの焼結体から構成される。実際の素体１では、各絶縁体層１１は、その間の境界が視認できない程度に一体化されている。
【００１７】
絶縁体層１１は、たとえばストロンチウム、カルシウム、アルミナ及び酸化珪素からなるガラスと、アルミナとからなるガラス系セラミックから構成されている。絶縁体層１１は、フェライト（Ｎｉ−Ｃｕ−Ｚｎ系フェライト、Ｎｉ−Ｃｕ−Ｚｎ−Ｍｇ系フェライト、Ｃｕ−Ｚｎ系フェライト、又はＮｉ−Ｃｕ系フェライトなど）から構成されていてもよく、一部の絶縁体層１１は、非磁性フェライトから構成されていてもよい。
【００１８】
第一外部電極２及び第二外部電極４は、第一主面１ａに配置されている。第一外部電極２は、第一主面１ａの第一側面１ｃ側の端部、すなわち第一主面１ａの一方の短辺近くに配置されている。第二外部電極４は、第一主面１ａの第二側面１ｄ側の端部、すなわち第一主面１ａの他方の短辺近くに配置されている。第一外部電極２と第二外部電極４とは、第一主面１ａの長辺方向に離間して位置している。
【００１９】
第一及び第二外部電極２，４は、平面視で略矩形形状（本実施形態では、第一主面１ａの長辺方向を長辺方向とする略長方形状）を呈しており、その角が丸められている。第一及び第二外部電極２，４は、導電材（たとえば、Ａｇ又はＰｄなど）とガラス成分とを含んでいる。第一及び第二外部電極２，４は、導電性金属粉末（たとえば、Ａｇ粉末又はＰｄ粉末など）及びガラスフリットを含む導電性ペーストの焼結体として構成される。第一及び第二外部電極２，４を構成する焼結体に電気めっきが施されており、第一及び第二外部電極２，４の表面にはめっき層が形成されている。電気めっきには、Ｎｉ、Ｓｎなどが用いられる。
【００２０】
積層コイル部品Ｃ１は、図２及び図３に示されるように、複数の内部導体２１，２２，２３，２４と、複数の引出導体２５，２６と、を素体１内に備えている。各導体２１〜２６は、上記導電材料（たとえば、Ａｇ粉末又はＰｄ粉末など）を含む導電性ペーストの焼結体として構成される。
【００２１】
複数の内部導体２１〜２４と複数の引出導体２５，２６とは、絶縁体層１１の積層方向（以下、単に「積層方向」と称する）に併置されている。複数の内部導体２１〜２４の端部同士は、スルーホール導体３６により接続されている。複数の内部導体２１〜２４の端部同士がスルーホール導体３６を介して接続されることにより、素体１内にコイル２０が構成されることとなる。すなわち、積層コイル部品Ｃ１は、素体１内に、コイル２０を備える。
【００２２】
複数の引出導体２５は、第一外部電極２とコイル２０の一端部Ｅ１との間に配置され、貫通導体部分３０ａを介して互いに接続されている。コイル２０の一端部Ｅ１と、この一端部Ｅ１と積層方向で隣り合う引出導体２５と、は、貫通導体部分３０ａにより接続されている。第一外部電極２と、この第一外部電極２と積層方向で隣り合う引出導体２５と、も、貫通導体部分３０ａにより接続されている。したがって、コイル２０の一端部Ｅ１は、複数の貫通導体部分３０ａを通して、第一外部電極２に接続されている。
【００２３】
本実施形態では、積層コイル部品Ｃ１は、上述したように、複数の貫通導体部分３０ａを備えており、複数の貫通導体部分３０ａは、一端がコイル２０の一端部Ｅ１に接続されると共に他端が第一外部電極２に接続される第一スルーホール導体３０を構成する。すなわち、積層コイル部品Ｃ１は、第一スルーホール導体３０を備える。
【００２４】
複数の引出導体２６は、第二外部電極４とコイル２０の他端部Ｅ２との間に配置され、貫通導体部分３１ａを介して互いに接続されている。コイル２０の他端部Ｅ２と、この他端部Ｅ２と積層方向で隣り合う引出導体２６と、は、貫通導体部分３１ａにより接続されている。第二外部電極４と、この第二外部電極４と積層方向で隣り合う引出導体２６と、も、貫通導体部分３１ａにより接続されている。したがって、コイル２０の他端部Ｅ２は、複数の貫通導体部分３１ａを通して、第二外部電極４に接続されている。
【００２５】
本実施形態では、積層コイル部品Ｃ１は、上述したように、複数の貫通導体部分３１ａを備えており、複数の貫通導体部分３１ａは、一端がコイル２０の他端部Ｅ２に接続されると共に他端が第二外部電極４に接続される第二スルーホール導体３１を構成する。すなわち、積層コイル部品Ｃ１は、第二スルーホール導体３１を備える。
【００２６】
積層コイル部品Ｃ１は、複数の第三スルーホール導体（本実施形態では、二つの第三スルーホール導体）３２，３３と、複数の第四スルーホール導体（本実施形態では、二つの第四スルーホール導体）３４，３５と、を備えている。
【００２７】
各第三スルーホール導体３２，３３は、その一端が第一外部電極２に接続されている。第一外部電極２には、第一スルーホール導体３０だけでなく、２つの第三スルーホール導体３２，３３が接続されている。各第三スルーホール導体３２，３３の他端は、いかなる導体も接続されていない状態で、素体１内に位置している。
【００２８】
各第四スルーホール導体３４，３５は、その一端が第二外部電極４に接続されている。第二外部電極４には、第二スルーホール導体３１だけでなく、２つの第四スルーホール導体３４，３５が接続されている。各第三スルーホール導体３４，３５の他端は、いかなる導体も接続されていない状態で、素体１内に位置している。
【００２９】
各スルーホール導体３０，３１，３２，３３，３４，３５，３６（各貫通導体部分３０ａ，３１ａ）は、各導体２１〜２６と同じく、上記導電材料（たとえば、Ａｇ粉末又はＰｄ粉末など）を含む導電性ペーストの焼結体として構成される。
【００３０】
続いて、図４を参照して、第一スルーホール導体３０と２つの第三スルーホール導体３２，３３との位置関係、及び第二スルーホール導体３１と２つの第四スルーホール導体３４，３５との位置関係について説明する。説明のため、第一主面１ａの長辺方向に向かう第一軸Ｘと、第一主面１ａの短辺方向に向かう第二軸Ｙとからなる二次元直交座標系を導入する。
【００３１】
図４に示されるように、第一スルーホール導体３０（貫通導体部分３０ａ）及び第三スルーホール導体３２，３３は、その一端が第一主面１ａにおける第一側面１ｃ側の領域に露出するように配置されている。第一スルーホール導体３０、第三スルーホール導体３２、及び第三スルーホール導体３３は、素体１内において、第三側面１ｅ側から第四側面１ｆ側に向かう方向で、第一スルーホール導体３０、第三スルーホール導体３２、及び第三スルーホール導体３３の順で配置されている。
【００３２】
第一軸Ｘと第二軸Ｙとからなる二次元直交座標系において、第一スルーホール導体３０の中心軸Ｏ１を原点としたとき、第三スルーホール導体３３の中心軸Ｏ３は第一軸Ｘ上に位置している。一方、第三スルーホール導体３２の中心軸Ｏ２は、第一軸Ｘ及び第二軸Ｙから離れて位置している。すなわち、最も第三側面１ｅ寄りに位置するスルーホール導体の中心軸（第一スルーホール導体３０の中心軸Ｏ１）と最も第四側面１ｆ寄りに位置するスルーホール導体の中心軸（第三スルーホール導体３３の中心軸Ｏ３）とを結ぶ直線から、最も第三側面１ｅ寄りに位置するスルーホール導体と最も第四側面１ｆ寄りに位置するスルーホール導体との間に位置するスルーホール導体の中心軸（第三スルーホール導体３２の中心軸Ｏ２）が離れて位置している。第一スルーホール導体３０、第三スルーホール導体３２、及び第三スルーホール導体３３は、千鳥状に配置されている。
【００３３】
第二スルーホール導体３１（貫通導体部分３1ａ）及び第四スルーホール導体３４，３５は、その一端が第一主面１ａにおける第二側面１ｄ側の領域に露出するように配置されている。第二スルーホール導体３１、第四スルーホール導体３４、及び第四スルーホール導体３５は、素体１内において、第三側面１ｅ側から第四側面１ｆ側に向かう方向で、第二スルーホール導体３１、第四スルーホール導体３４、及び第四スルーホール導体３５の順で配置されている。
【００３４】
第一軸Ｘと第二軸Ｙとからなる二次元直交座標系において、第二スルーホール導体３１の中心軸Ｏ４を原点としたとき、第四スルーホール導体３５の中心軸Ｏ６は第一軸Ｘ上に位置している。一方、第四スルーホール導体３４の中心軸Ｏ５は、第一軸Ｘ及び第二軸Ｙから離れて位置している。すなわち、最も第三側面１ｅ寄りに位置するスルーホール導体の中心軸（第二スルーホール導体３1の中心軸Ｏ４）と最も第四側面１ｆ寄りに位置するスルーホール導体の中心軸（第四スルーホール導体３５の中心軸Ｏ６）とを結ぶ直線から、最も第三側面１ｅ寄りに位置するスルーホール導体と最も第四側面１ｆ寄りに位置するスルーホール導体との間に位置するスルーホール導体の中心軸（第四スルーホール導体３４の中心軸Ｏ５）が離れて位置している。第二スルーホール導体３１、第四スルーホール導体３４、及び第四スルーホール導体３５は、千鳥状に配置されている。
【００３５】
以上のように、本実施形態では、第一スルーホール導体３０だけでなく、２つの第三スルーホール導体３２，３３が第一外部電極２に接続されている。２つの第三スルーホール導体３２，３３は、第一スルーホール導体３０と共に、アンカーとして機能するため、素体１と第一外部電極２との接続強度が高まる。第二外部電極４には、第二スルーホール導体３１だけでなく、２つの第四スルーホール導体３４，３５が接続されている。２つの第四スルーホール導体３４，３５は、第二スルーホール導体３１と共に、アンカーとして機能するため、素体１と第二外部電極４との接続強度が高まる。これらの結果、素体１と第一及び第二外部電極２，４との界面に平行な方向から外力が作用した場合でも、第一及び第二外部電極２，４は、素体１から剥離し難いものとすることができる。
【００３６】
本実施形態では、第一軸Ｘと第二軸Ｙとからなる二次元直交座標系において、第一スルーホール導体３０の中心軸Ｏ１を原点としたときに、２つの第三スルーホール導体３２，３３のうち一つの中心軸Ｏ２は、第一軸Ｘ及び第二軸Ｙから離れて位置している。二次元直交座標系において、第二スルーホール導体３１の中心軸Ｏ４を原点としたときに、２つの第四スルーホール導体３４，３５のうち一つの中心軸Ｏ５は、第一軸Ｘ及び第二軸Ｙから離れて位置している。このため、第一スルーホール導体３０及び２つの第三スルーホール導体３２，３３は、積層方向から見て、第一外部電極２に対し、広範囲に分散して配置される。第二スルーホール導体３１及び２つの第四スルーホール導体３４，３５は、積層方向から見て、第二外部電極４に対し、広範囲に分散して配置される。したがって、素体１と第一外部電極２との接続強度、及び素体１と第二外部電極４との接続強度が更に高まる。これらの結果、第一及び第二外部電極２，４を、素体１から更に剥離し難いものとすることができる。
【００３７】
［第２実施形態］
次に、図５〜図６を参照して、第２実施形態に係る積層コイル部品Ｃ２の構成を説明する。図５は、第２実施形態に係る積層コイル部品が備える素体の構成を示す分解斜視図である。図６は、第２実施形態に係る積層コイル部品の断面構成を説明するための図である。
【００３８】
第２実施形態に係る積層コイル部品Ｃ２も、第１実施形態と同じく、素体１と、第一外部電極２及び第二外部電極４と、を備えている。図５及び図６に示されるように、第２実施形態に係る積層コイル部品Ｃ２は、第１実施形態と同様の各導体２１〜２６，３０〜３６に加え、第一中間電極６と、第二中間電極８と、を更に素体１内に備えている。なお、本実施形態において、引出導体２６は１つである。
【００３９】
第一及び第二中間電極６，８は、平面視で略矩形形状（本実施形態では、第一主面１ａの長辺方向を長辺方向とする略長方形状）を呈しており、その角が丸められている。第一及び第二中間電極６，８は、各導体２１〜２６と同様に、上記導電材料（たとえば、Ａｇ粉末又はＰｄ粉末など）を含む導電性ペーストの焼結体として構成される。
【００４０】
第一中間電極６は、第一外部電極２と、複数の引出導体２５のうち第一主面１ａに最も近い引出導体２５との間に配置されている。すなわち、第一中間電極６は、第一外部電極２と積層方向で隣り合うように位置している。第二中間電極８は、第二外部電極４と、複数の引出導体２６のうち第一主面１ａに最も近い引出導体２６との間に配置されている。すなわち、第二中間電極８は、第二外部電極４と積層方向で隣り合うように位置している。
【００４１】
第一中間電極６は、貫通導体部分３０ａ及び２つの第三スルーホール導体３２，３３を介して、第一外部電極２に接続されると共に、貫通導体部分３０ａを介して複数の引出導体２５のうち第一主面１ａに最も近い引出導体２５に接続されている。第一スルーホール導体３０を構成する貫通導体部分３０ａのうち、素体１の第一主面１ａの最も近くに位置する貫通導体部分３０ａは、その一端が第一中間電極６に接続されている。したがって、第一スルーホール導体３０は、その途中部分において、第一中間電極６に接続されることとなる。各第三スルーホール導体３２，３３は、その他端が、第一中間電極６に接続されている。
【００４２】
第二中間電極８は、貫通導体部分３１ａ及び２つの第四スルーホール導体３４，３５を介して、第二外部電極４に接続されると共に、貫通導体部分３１ａを介して複数の引出導体２６のうち第一主面１ａに最も近い引出導体２６に接続されている。第二スルーホール導体３１を構成する貫通導体部分３１ａのうち、素体１の第一主面１ａの最も近くに位置する貫通導体部分３１ａは、その一端が第二中間電極８に接続されている。したがって、第二スルーホール導体３１は、その途中部分において、第二中間電極８に接続されることとなる。各第四スルーホール導体３４，３５は、その他端が、第二中間電極８に接続されている。
【００４３】
以上、本実施形態においても、従来の第一及び第二スルーホール導体３０，３１以外に、２つの第三スルーホール導体３２，３３が第一外部電極２に接続され、２つの第四スルーホール導体３４，３５が第二外部電極４に接続されている。２つの第三スルーホール導体３２，３３及び２つの第四スルーホール導体３４，３５は、第一及び第二スルーホール導体３０，３１と共に、アンカーとして機能するため、素体１と第一及び第二外部電極２，４との接続強度が高まる。よって、素体１と第一及び第二外部電極２，４との界面に平行な方向から外力が作用した場合でも、第一及び第二外部電極２，４は、素体１から剥離し難いものとすることができる。
【００４４】
本実施形態によれば、第一スルーホール導体３０及び２つの第三スルーホール導体３２，３３は、第一外部電極２だけでなく、第一中間電極６にも接続されている。第二スルーホール導体３１及び２つの第四スルーホール導体３４，３５は、第二外部電極４だけでなく、第二中間電極８にも接続されている。このため、素体１と第一及び第二外部電極２，４との接続強度が更に高まる。これらの結果、第一及び第二外部電極２，４は、素体１から更に剥離し難いものとすることができる。
【００４５】
以上、本発明の好適な実施形態について説明してきたが、本発明は必ずしも上述した実施形態に限定されるものではなく、その要旨を逸脱しない範囲で様々な変更が可能である。
【００４６】
各スルーホール導体３０〜３６の数は、上述した数に限られない。たとえば、第一又は第二スルーホール導体３０，３１は、それぞれ複数備えていてもよい。第三又は第四スルーホール導体３２〜３５は、それぞれ一つずつ、又は３つ以上備えていてもよい。
【００４７】
絶縁体層１１の積層数、内部導体２１〜２４の積層数、引出導体２５，２６の積層数、及び第一及び第二中間電極６，８の積層数は、上述した実施形態における積層数に限られない。内部導体２１〜２４、引出導体２５，２６、及び第一及び第二中間電極６，８の形状も、上述した実施形態における形状に限られない。
【００４８】
第一スルーホール導体３０、第三スルーホール導体３２、及び第三スルーホール導体３３は、各中心軸Ｏ１，Ｏ２，Ｏ３が同一直線上に位置するように配置されていてもよい。第二スルーホール導体３１、第四スルーホール導体３４、及び第四スルーホール導体３５は、各中心軸Ｏ３，Ｏ４，Ｏ５が同一直線上に位置するように配置されていてもよい。
【符号の説明】
【００４９】
Ｃ１…積層コイル部品、１…素体，１ａ…第１主面、１ｂ…第２主面、１ｃ…第一側面、１ｄ…第二側面、１ｅ…第三側面、１ｆ…第四側面、２…第一外部電極、４…第二外部電極、１１…絶縁体層、２０…コイル、２１〜２４…内部導体、３０…第一スルーホール導体、３１…第二スルーホール導体、３２，３３…第三スルーホール導体、３４，３５…第四スルーホール導体。
【図１】
2014138168.tif 000003
【図２】
2014138168.tif 000004
【図３】
2014138168.tif 000005
【図４】
2014138168.tif 000006
【図５】
2014138168.tif 000007
【図６】
2014138168.tif 000008